(57)【要約】      （修正有）【課題】被検者に痛みを与えずに、鼻腔や咽喉等から検査に充分な量の粘液等の生物学的検体を一定量で安定して採取でき、採取した検体の放出効率が高く、さらに脱落回避性の高い検体採取スワブを提供する。【解決手段】最先端部１１、フランジ部１４、及びこれらの間に位置し且つ抜け止め突端を有する返し片部１２、を有する先端領域部を有するロッドと、ロッドの先端領域部に包着している袋状の繊維体１５と、を備える検体採取スワブを提供する。また、ロッドと、ロッドの先端領域部に対して包着している袋状の繊維体と、を備える検体採取スワブであって、袋状の繊維体が不織布により形成されており、不織布の目付が１１０〜１３０ｇ／ｍ2である検体採取スワブを提供する。【選択図】図２
2020060397.tif 000002
【特許請求の範囲】
【請求項１】
最先端部、フランジ部、及びこれらの間に位置し且つ抜け止め突端を有する返し片部、を有する先端領域部を有するロッドと、
前記ロッドの前記先端領域部に包着している袋状の繊維体と、を備える検体採取スワブ。
【請求項２】
ロッドと、前記ロッドの先端領域部に対して包着している袋状の繊維体と、を備える検体採取スワブであって、
前記袋状の繊維体が不織布により形成されており、
不織布の目付が１１０〜１３０ｇ／ｍ2である検体採取スワブ。
【請求項３】
ロッドから抜け止め突端の距離が、ロッドからフランジ部の延出端の距離よりも長い請求項１に記載の検体採取スワブ。
【請求項４】
繊維体が、接着剤により固定されることなくロッドに包着している請求項１〜３の何れか１項に記載の検体採取スワブ。
【請求項５】
繊維体がポリエチレンテレフタレートで形成されている請求項１〜４の何れか１項に記載の検体採取スワブ。
【請求項６】
生物学検体採取用である請求項１〜５の何れか１項に記載の検体採取スワブ。
【発明の詳細な説明】
【技術分野】
【０００１】
本発明は、検体採取スワブに関する。
【背景技術】
【０００２】
臨床及び診断分析の分野においては、生物学的検体を採取するためにスワブが用いられている。この様なスワブは、ロッドの先端に天然繊維や合成繊維により形成された繊維体からなる検体採取部を有するものであり、綿棒等が例示される。
【０００３】
例えば、インフルエンザウイルスの感染検査は、綿棒を用いて鼻腔や咽喉から粘液を採取し、得られた粘液中のインフルエンザウイルスの有無を判定することにより行われている（特許文献１）。しかし、綿やレーヨン等は親水性であることから、回収した検体の放出量が少ないという問題があった。この様な問題を解決する手段として、綿球部に使用される繊維の油分除去を行う方法が知られている（特許文献２）。また、綿球部をフロック化する方法も知られている（特許文献３）。
【０００４】
さらに、検査に充分な検体量を採取することを目的として、検体採取部をループ状の繊維で構成された不織布で形成する技術も知られている（特許文献４）。
【先行技術文献】
【特許文献】
【０００５】
【特許文献１】特表２００２−５０８１９３号公報
【特許文献２】特開２００３−３１５２１８号公報
【特許文献３】特表２００７−５２３６６３号公報
【特許文献４】特開２０１７−０１５６１０号公報
【発明の概要】
【発明が解決しようとする課題】
【０００６】
しかし、特許文献１〜３に記載されるスワブは検体の採取量が不安定であり、採取した検体の放出効率も低く、さらには検体採取部の材質や形状によって被検者に痛みや不快感を与えるといった問題があった。
【０００７】
また、特許文献４に記載されるスワブは、検体採取部が極めて高い空隙率を有する不織布によって形成されたものであるため、ロッドの伸び方向に不織布を引き抜こうとする力に弱く、ロッドから綿球部が脱落することがあった。鼻腔や咽喉から粘液を採取する際にロッドから綿球部が脱落することは、重大な医療事故を引き起こす可能性があることから、ロッドから検体採取部が脱落しない特性が求められる。以下、この様な特性を「脱落回避性」と称する。
【０００８】
検体採取スワブに脱落回避性を付与する方法としては、例えば、検体採取部としての繊維体をロッドに取り付ける際に、接着剤を用いる方法、熱で溶着する方法、紐等で縛る方法等が知られている。しかし、接着剤を用いる方法は、接着剤が繊維体に浸潤することによりその空隙率が低下し、必要とする検体量を採取することができないことがある。また、熱で溶着する方法も、その繊維体が溶着に用いられることから、綿球部の空隙率が低下する。さらに、紐等で縛る方法も、スワブに使用されるロッドの径が小さいことから繊維体を紐で縛ることは非常に難しく、満足のいく脱落回避性をスワブに付与することは困難であった。
【０００９】
そこで、本発明の目的は、被検者に痛みや不快感を与えずに、鼻腔や咽喉等から検査に充分な量の粘液等の生物学的検体を一定量で安定して採取でき、採取した検体の放出効率が高い検体採取スワブを提供すること、及び、高い脱落回避性を有する検体採取スワブを提供することにある。
【課題を解決するための手段】
【００１０】
本発明者は、ロッドと、前記ロッドの先端領域部に対して包着している袋状の繊維体と、を備える検体採取スワブを使用することで上記課題を解決できることを見出し、本発明を完成するに至った。
【００１１】
すなわち、本発明は、最先端部、フランジ部、及びこれらの間に位置し且つ抜け止め突端を有する返し片部、を有する先端領域部を有するロッドと、前記ロッドの前記先端領域部に包着している袋状の繊維体と、を備える検体採取スワブを提供する。
【００１２】
また、本発明では、ロッドと、前記ロッドの先端領域部に対して包着している袋状の繊維体と、を備える検体採取スワブであって、前記袋状の繊維体が不織布により形成されており、前記の不織布の目付が１１０〜１３０ｇ／ｍ2である検体採取スワブを提供する。
【００１３】
前記の検体採取スワブは、ロッドから抜け止め突端の距離が、ロッドからフランジ部の延出端の距離よりも長いことが好ましい。
【００１４】
前記の検体採取スワブは、繊維体が、接着剤により固定されることなくロッドに包着していることが好ましい。
【００１５】
前記の検体採取スワブは、繊維体がポリエチレンテレフタレートによって形成されていることが好ましい。
【００１６】
前記の検体採取スワブは、生物学検体採取用であることが好ましい。
【発明の効果】
【００１７】
本発明の検体採取スワブは、被検者に痛みや不快感を与えずに、鼻腔や咽喉等から検査に充分な量の粘液等の生物学的検体を一定量で安定して採取でき、採取した検体の放出効率が高く、高い脱落回避性を有するため、臨床や診断分析の分野において有用である。
【図面の簡単な説明】
【００１８】
【図１】ロッドと検体採取スワブの一例を示す。
【図２】ロッドの先端領域部と、先端領域部に包着している袋状の繊維体の一例を示す。
【図３】実施例の評価で使用した装置を示す。
【発明を実施するための形態】
【００１９】
＜検体採取スワブ＞
本発明における検体採取スワブは、ロッドと、前記ロッドの先端領域部に対して包着している袋状の繊維体と、を備えることを特徴とする。
【００２０】
本発明における検体採取スワブの第一の態様は、最先端部、フランジ部、及びこれらの間に位置し且つ抜け止め突端を有する返し片部、を有する先端領域部を有するロッドと、前記ロッドの前記先端領域部に包着している袋状の繊維体と、を備えることを特徴とする。本発明における検体採取スワブの第二の態様は、ロッドと、前記ロッドの先端領域部に対して包着している袋状の繊維体と、を備える検体採取スワブであって、前記袋状の繊維体が不織布により形成されており、前記不織布の目付が１１０〜１３０ｇ／ｍ2であることを特徴とする。本発明に係る検体採取スワブの第一の態様及び第二の態様を併せて、「本発明のスワブ」と称する場合がある。
【００２１】
図１及び２を用いて、本発明のスワブの一例について説明する。図１の（Ａ）はロッド（繊維体を取り付ける前のロッド）を示しており、図１の（Ｂ）はロッドと、前記ロッドの先端領域部に対して包着している袋状の繊維体とを備えるスワブを示している。図１（Ａ）及び（Ｂ）の１は柄部を、２はロッドを、３はロッドの最先端部を、４は検体採取部である繊維体を示している。
【００２２】
図２の（Ａ）はロッドの先端領域部を示しており、図２の（Ｂ）はロッドの先端領域部に包着している袋状の繊維体を示している。図２の１１は最先端部を、１２は抜け止め突端を有する返し片部を、１３は抜け止め突端を、１４はフランジ部を、１５はロッドの先端領域部に包着している繊維体を、１６は繊維体の袋口部を示している。なお、１２の抜け止め突端を有する返し片部は、図示される様に略三角形形状を示し、一方と他方が対となっている。
【００２３】
第一の態様のスワブは、特定の形状のロッドを備えることから、高い脱落回避性を示す。また、第二の態様のスワブは、特定の繊維体を検体採取部として備えることから、被検者に痛みや不快感を与えることなく、鼻腔や咽喉等から検査に充分な量の粘液等を一定量で安定して採取することができ、さらに採取した検体の放出効率が高い。
【００２４】
［ロッド］
ロッドの形状は特に限定されないが、繊維体の脱落回避性の観点からは、フランジ部及び抜け止め突端を有する返し片部の何れか１つを有する先端領域部を有する形状であることが好ましく、フランジ部及び抜け止め突端を有する返し片部の両方を有する先端領域部を有する形状であることがより好ましい。ロッドが、フランジ部及び抜け止め突端を有する返し片部の両方を有する先端領域部を有する場合、抜け止め突端を有する返し片部が、最先端部及びフランジ部の間に位置すること、すなわち、ロッドが、最先端部、フランジ部、及びこれらの間に位置し且つ抜け止め突端を有する返し片部、を有する先端領域部を有することが、高い脱落回避性が発揮される点で特に好ましい。
【００２５】
フランジ部は、繊維体の袋口部と接触することにより脱落回避性を発揮する。すなわち、ロッドの最先端部への伸び方向（以下、単に「ロッドの伸び方向」と称することがある）に繊維体を引き抜こうとする力が加わった場合、繊維体の袋口部がフランジ部に接触することで、引き抜こうとする力とは逆方向の応力が生じ、その結果、脱落回避性が発揮される。したがって、フランジ部は繊維体の袋口部と接触し得る幅（ロッドの中心軸を通る縦断面視での広さ）を有することが好ましい。また、フランジ部の形状は特に限定されないが、ロッドの中心軸を通る縦断面視で円弧状の輪郭を形成する曲面形状を有すること、すなわち円形又は略円形であることが、高い脱落回避性が発揮される点で好ましい。
【００２６】
抜け止め突端を有する返し片部は、繊維体の袋内部及び／又は袋口部と接触することにより脱落回避性を発揮する。すなわち、ロッドの伸び方向に繊維体を引き抜こうとする力が加わった場合、繊維体の袋内部及び／又は袋口部が抜け止め突端を有する返し片部に接触することで、引き抜こうとする力とは逆方向の応力が生じ、その結果、脱落回避性が発揮される。したがって、抜け止め突端を有する返し片部は繊維体の袋内部及び／又は袋口部と接触し、且つ前記応力を発揮し得る抜け止め突端を備えることを必要とする。また、抜け止め突端を有する返し片部の形状は特に限定されないが、例えば、略三角形形状であって、ロッドの伸び方向とは逆方向に抜け止め突端が配向する形状であることが、高い脱落回避性が発揮される点で好ましい。また、抜け止め突端を有する返し片部は、図２に示される様にロッド表面に２個存しており、且つ一方と他方が対となっていてもよいがこれに限定されず、例えば、ロッド表面に１〜６個存する態様であってもよい。
【００２７】
前述の通り、ロッドの先端領域部が、最先端部、フランジ部、及びこれらの間に位置し且つ抜け止め突端を有する返し片部を有する場合は、フランジ部及び抜け止め突端を有する返し片部の何れか１つのみを有する場合と比較すると、高い脱落回避性が発揮される傾向がある。これは、ロッドの伸び方向に繊維体を引き抜こうとする力が加わった場合、フランジ部が繊維体の袋口部と接触するとともに、抜け止め突端が繊維体の袋内部と接触することにより、引き抜こうとする力とは逆方向の応力が繊維体の袋口部と袋内部とに分散し、繊維体の袋口部と袋内部とがロッドとの接触により受ける損傷が低減する結果、繊維体の破壊が生じず、ロッドからの脱落が生じないことに起因すると考えられる。
【００２８】
このため、ロッドの先端領域部が、最先端部、フランジ部、及びこれらの間に位置し且つ抜け止め突端を有する返し片部を有し、さらに、ロッドから抜け止め突端の距離が、ロッドからフランジ部の延出端の距離よりも長い場合は、ロッドの伸び方向に繊維体を引き抜こうとする力が加わった際に、抜け止め突端と袋内部とが容易に接触し得ることとなり、極めて高い脱落回避性が発揮されることとなる。
【００２９】
また、脱落回避性の観点からは、最先端部と繊維体の袋底部とが接着していることが好ましい。
【００３０】
ロッドの最先端部の形状は特に限定されないが、例えば、略球状であることが好ましい。例えば、鼻腔や咽喉から粘液を採取する際にスワブの最先端部が鼻腔や咽喉に触れることがあるが、略球状とすることにより、被検者に痛みを与えることなく検体を採取可能となる。
【００３１】
ロッドの先端領域部は、繊維体に包着される部分を指し、例えば、最先端部、抜け止め突端を有する返し片部、及びフランジ部を有していてもよい。
【００３２】
ロッドは、持ちやすくするために柄部を設けてもよいし、設けなくてもよい。また、柄部はロッドと材質が異なっていてもよいが同一であることが好ましい。
【００３３】
ロッドの材質は、一般的にスワブに用いられる材質であれば特に限定されないが、例えば、紙、木、金属、プラスチックが挙げられる。この中でも、加工性の観点からはプラスチックが好ましく、例えば、塩化ビニル、ポリエチレン、ポリプロピレン、ポリエステル、ポリスチレン、ポリアミド、ポリカーボネートが挙げられる。
【００３４】
ロッドは、繊維体の取り付けの際や、スワブの滅菌操作の際に加熱することがあるため、その加熱温度によっては融解しないものを材質として用いることが好ましい。ロッドの融点は、例えば、６０℃以上が好ましく、より好ましくは８０℃以上、さらに好ましく１００℃以上である。
【００３５】
ロッドの断面形状は特に限定されず、例えば、円形、三角形、四角形、六角形、偏平形が挙げられる。また、ロッドに柄部を設ける場合も同様の形状であってもよいが、その断面が六角形断面であることが特に好ましい。
【００３６】
ロッドの長さは特に限定されないが、例えば６０〜２５０ｍｍであることが好ましく、より好ましくは８０〜２００ｍｍである。
【００３７】
柄部の長さは特に限定されないが、例えば３０〜１５０ｍｍであることが好ましく、より好ましくは６０〜１２０ｍｍである。柄部の直径は特に限定されないが、例えば０．４〜１０．０ｍｍであることが好ましく、より好ましくは１．０〜５．０ｍｍである。ここで、柄部の直径とは柄部の断面図における最も長い径のことを指す。
【００３８】
ロッドの先端から抜け止め突端までの長さは特に限定されないが、例えば４〜３０ｍｍであり、より好ましくは６〜２５ｍｍであり、さらに好ましくは８〜２０ｍｍである。なお、「ロッドの先端」とは、「ロッドの最先端部の先端」と言い換えることができる。
【００３９】
ロッドの先端からフランジ部までの長さは特に限定されないが、例えば５〜３０ｍｍであり、より好ましくは８〜２５ｍｍであり、さらに好ましくは１０〜２０ｍｍである。
【００４０】
抜け止め突端からフランジ部までの長さは特に限定されないが、例えば０．３〜１０ｍｍであり、より好ましくは０．５〜５ｍｍであり、さらに好ましくは０．８〜３ｍｍである。
【００４１】
フランジ部の厚みは特に限定されないが、例えば０．１〜３ｍｍであり、より好ましくは０．２〜２ｍｍであり、さらに好ましくは０．３〜１ｍｍである。
【００４２】
ロッド（先端領域部のロッド）の直径は特に限定されないが、例えば、０．３〜２．５ｍｍであることが好ましく、より好ましくは０．４〜２．０ｍｍである。ここで、ロッドの直径とはロッドの断面における最も長い径のことを指す。
【００４３】
ロッドの表面から抜け止め突端までの長さ（ロッドの表面を底辺とした場合の抜け止め突端の高さ）は特に限定されないが、例えば０．１〜５ｍｍであり、より好ましくは０．２〜３ｍｍであり、さらに好ましくは０．３〜１ｍｍである。
【００４４】
フランジ部の直径は特に限定されないが、例えば０．３〜１０ｍｍであり、より好ましくは０．５〜５ｍｍであり、さらに好ましくは０．８〜３ｍｍである。
【００４５】
［繊維体］
繊維体は、袋状であってロッドの先端領域部に対して包着可能なものであれば特に限定されない。本発明のスワブにおいて、繊維体は検体採取部に相当する。
【００４６】
繊維体は、例えば、ポリエステル、ポリアミド、ポリプロピレン、ポリウレタン、アクリル、レーヨン、炭素繊維、アルギネート、綿、絹等の繊維によって形成されていてもよいが、ポリエチレンテレフタレート等のポリエステルによって形成されることが好ましい。
【００４７】
繊維体は、例えば、織物、編み物（メリヤス生地）、レース、フェルト、不織布等の布を袋状にしたものが挙げられる。この中でも、検体の採取量及び放出効率の観点からは不織布を袋状としたものが好ましい。
【００４８】
不織布としては特に限定されないが、乾式法、湿式法、スパンボンド法、メルトブローン法、エアレイド法等によりウェブ状とし、このウェブを浸漬法（ケミカルボンド法）、スプレー法（ケミカルボンド法）、サーマルボンド法、ニードルパンチ法、スパンレース法（水流交絡法）等の交絡手段によって繊維を交絡させたものが挙げられる。この中でも、スパンレース法により作製された不織布である場合に、スワブの検体採取量が向上するとともに、採取した検体の放出効率が高くなり、被検者に与える痛みも減少する傾向がある。
【００４９】
不織布の目付は特に限定されないが、４０〜２００ｇ／ｍ2であることが好ましく、より好ましくは８０〜１６０ｇ／ｍ2、さらに好ましくは１００〜１４０ｇ／ｍ2である。さらに、不織布の目付が１１０〜１３０ｇ／ｍ2である場合には、スワブの検体採取量が向上するとともに、採取した検体の放出効率が高くなる傾向がある。
【００５０】
繊維体を形成する繊維の平均径は特に限定されないが、例えば３．０〜７０μｍ（０．１〜５０ｄｔｅｘ）であることが好ましく、より好ましくは５．０〜３０μｍ、さらに好ましくは１０〜２０μｍである。不織布を使用する場合、繊維の長さは特に制限されないが、例えば、平均繊維長で１０〜１００ｍｍであることが好ましい。
【００５１】
繊維体をロッドに取り付ける方法は特に限定されないが、例えば、布を２つ折りにして一方の面と他方の面でロッドを挟み込み、その後に布を溶着・溶断して袋状の繊維体とすることが好ましい。前記方法により、折り目部分の溶着・溶断を行う必要が無くなることから、作業が簡便になる点で有効である。また、折り目部分が繊維体の先端部分となることで、先端部分が柔らかい形状となるため、被検者に痛みや不快感を与えない点で有効である。
【００５２】
繊維体は、その表面を起毛し、毛羽立たせたものであってもよい。布地を起毛する方法には、サンドペーパーによるエメリー起毛法と針布起毛法がある。なお、起毛時期は、不織布を予め起毛しておいてもよいし、布をロッドに取り付けた後に行ってもよい。
【００５３】
繊維体は、接着剤によりロッドに固定されてもよいし、接着剤により固定されることなくロッドに包着していてもよい。
【００５４】
接着剤を介してロッドに繊維体を取り付ける場合、接着剤の種類は特に限定されないが、エチレン酢酸ビニル系、ポリオレフィン系、ポリアミド系、合成ゴム系、アクリル系、及び、ポリウレタン系のホットメルト接着剤を用いることができる。また、その形態は、有機溶剤溶解品、水溶解品、エマルジョン、無溶剤品等の何れであってもよい。接着剤を使用する場合、繊維体における空隙を埋めない程度の量を使用し、粘度もその空隙に侵入しにくい程度がよい。
【００５５】
繊維体を接着剤によりロッドに固定する場合、接着剤を加熱することで固定してもよい。加熱手段としては、ヒーター、超音波、レーザーを使用することができる。
【００５６】
繊維体の長さはロッドの先端領域部に対して包着可能な長さであれば特に限定されないが、例えば８〜４０ｍｍであり、より好ましくは１０〜３０ｍｍであり、さらに好ましくは１２〜２０ｍｍである。なお、繊維体の長さとは、ロッドに沿った長さであって、袋口部から袋底部までの長さと言い換えることができる。
【００５７】
繊維体の袋口部は、フランジ部と接触して脱落回避性を発揮させるために、その直径をフランジ部の直径よりも小さくすることが好ましい。
【００５８】
本発明のスワブは、滅菌しておくことが好ましい。滅菌手段は、エチレンオキサイドガスによる化学滅菌、放射線による滅菌、電子線による滅菌等の何れも利用できる。熱可塑性樹脂層に融点の低い樹脂を用いる場合はオートクレーブによる乾熱滅菌は好ましくない。
【００５９】
本発明のスワブは、被検者に痛みや不快感を与えずに、鼻腔や咽喉等から検査に充分な量の粘液等の生物学的検体を一定量で安定して採取でき、採取した検体の放出効率が高く、高い脱落回避性を有するため、生物学検体の採取用途（生物学検体採取用）として使用することができ、臨床や診断分析の分野において有用である。
【実施例】
【００６０】
以下、本発明について実施例を挙げてさらに具体的に説明する。本発明はこれらにより限定されるものではない。
【００６１】
（製造例１：ロッドの作製）
住友重機械工業製の射出成型機を使用し、ポリプロピレンを１８０℃で溶融して型に流し込み、その後冷却することで、最先端部から順に、抜け止め突端を有する返し片部、フランジ部、柄部をこの順で有するロッドを得た。なお、ロッドの先端領域部の形状は図２の（Ａ）で示された形状と同一であり、ロッドの先端から抜け止め突端までの長さは１３ｍｍ、抜け止め突端からフランジ部の長さは１ｍｍ、フランジ部の厚みは０．５ｍｍ、最先端部の略球状体の直径は１．３８ｍｍ、ロッド（先端領域部のロッド）の直径は０．９０ｍｍ、ロッドの表面から抜け止め突端までの長さ（ロッドの表面を底辺とした場合の抜け止め突端の高さ）は０．４ｍｍ、ロッドの表面から抜け止め突端までの長さ（ロッドの表面を底辺とした場合の抜け止め突端の高さ）は０．４ｍｍ、抜け止め突端を有する返し片部のロッドに沿った長さ（三角形形状における、ロッドに沿った長さ）は２．０ｍｍ、フランジ部の直径は１．５ｍｍ、柄部の長さは８６ｍｍ、ロッドの長さは１５２ｍｍであった。
【００６２】
（製造例２：スワブ１の作製）
株式会社ユウホウ製の不織布（材質：ポリエチレンテレフタレート、製法：スパンレース法、目付：１２０ｇ／ｍ2）を流れ方向（縦方向）に沿って２つ折りにし、折り目にロッドの最先端部を当て、一方の面と他方の面でロッドを挟み込んだ後、超音波で溶着・溶断して綿球部を取り付けることにより、スワブ１を作製した。
【００６３】
（製造例３：スワブ２の作製）
不織布としてシンワ株式会社製の不織布（材質：ポリエチレンテレフタレート、製法：スパンレース法、目付：１００ｇ／ｍ2）を使用したこと以外は製造例２と同様にして、スワブ２を作製した。
【００６４】
（評価１：引張強度の測定）
スワブ１及び２の綿球部に糸を通した後、インストロン５５８２（万能材料試験機）のつかみ具にスワブ１の綿球部に通した糸を固定し、スワブ１の柄部を固定して、引っ張り速度：１００ｍｍ／ｍｉｎでスワブの伸び方向に綿球部を引っ張り、最大荷重を測定した。その結果、スワブ１の引張強度は１７．３Ｎであり、スワブ２の引張強度は１３．７Ｎであった。なお、試験雰囲気は温度が２３±２℃、相対湿度が５０±１０％であった。
【００６５】
上記の通り、目付が１２０ｇ／ｍ2である不織布を使用したスワブ１と、目付が１００ｇ／ｍ2である不織布を使用したスワブ２とは、何れも高い引張強度を有していることが理解できる。
【００６６】
（評価２：検体採取量）
ゼリーナ（商品名、ウェルハーモニー社製）を、濃度が０．５重量％となるように水に溶解し、０．５重量％ゼリーナ水溶液（ゲル状溶液）を調製した。また、ゼリーナを濃度が１．０重量％となるように水に溶解し、１．０重量％ゼリーナ水溶液を調製した。
【００６７】
スワブ１、コパン社製のフロックスワブ、及びニプロ社製のスポンジスワブを、蒸留水、０．５重量％ゼリーナ水溶液、及び１．０重量％ゼリーナ水溶液のそれぞれに１０秒間浸した後に引き上げ、重量増加分（ｍｇ）を計測した。この結果を下記の表１に記載する。なお、蒸留水に対する重量増加分を「水採取量」、０．５重量％ゼリーナ水溶液に対する重量増加分を「０．５重量％ゼリーナ採取量」、１．０重量％ゼリーナ水溶液に対する重量増加分を「１．０重量％ゼリーナ採取量」と称する。
【表１】
2020060397.tif 000003
【００６８】
スワブ２を、蒸留水に１０秒間浸した後に引き上げ、重量増加分（ｍｇ）を計測した。この結果を表２に記載する。なお、蒸留水に対する重量増加分を「水採取量」と称する。また、対比としてスワブ１での結果を表２に併記する。
【００６９】
スワブ１及び２を、食用青を溶解させた水（食用青溶液）に１０秒間浸した後に引き上げ、スワブ１の綿球部の吸光度を測定し、食用青溶液の吸光度によって除することによって放出率（％）を算出した。この結果を下記の表２に記載する。なお、放出率（％）以下の様に計算することで得られる。放出率（％）＝［（スワブの綿球部の吸光度）／（食用緑溶液の吸光度）］×１００
【表２】
2020060397.tif 000004
【００７０】
上記の通り、スワブ１の水やゲル状溶液の採取量、水の放出率は何れも高い数値を示した。その一方で、コパン社製のフロックスワブや、ニプロ社製のスポンジスワブは、水やゲル状溶液の採取量において、低い値を示していた。さらに、スワブ２は放出率が大幅に低い値を指名していた。スワブ１とスワブ２との放出率の差が大きい理由は定かではないが、使用された不織布の製法や、目付の差に起因するものであると予想できる。すなわち、スワブ１は目付が１２０ｇ／ｍ2であって、且つスパンレース法により成形された不織布が用いられていることにより、水採取量や放出率（放出効率）が高い値を示すものと考えられる。
【００７１】
（評価３）
ゼリーナ（商品名、ウェルハーモニー社製）を、濃度が１．５重量％となるように水に溶解し、１．５重量％ゼリーナ水溶液（ゲル状溶液）を調製した。また、ゼリーナを濃度が３．０重量％となるように水に溶解し、３．０重量％ゼリーナ水溶液を調製した。
【００７２】
インストロン５５８２のロードセルに、スワブ固定用シリコンを使用してスワブ１を固定し、ビーカーに入れた１．５重量％ゼリーナ水溶液の表面にスワブの綿球部の先端が接触する位置を測定開始点とし、ロードセルを連続的に下降させた時の荷重及び変位を測定した。なお、ロードセル最高荷重は１００Ｎ、クロスヘッド速度は５００ｍｍ／ｍｉｎである。具体的な方法を、図３を用いて説明する。図３の２１はロードセル、２２はスワブを固定するためのシリコン（スワブ固定用シリコン）、２３はスワブ１、２４は繊維体、２５は１．５重量％ゼリーナ水溶液が入ったビーカーである。
【００７３】
測定を開始したところ、ゼリーナ水溶液の表面にスワブの綿球部の先端が挿入されるまでは変位が上昇するに伴い、荷重も上昇した。そして、変位が一定以上となるとゼリーナ水溶液の表面にスワブの綿球部の先端が挿入され、急激に荷重の低下が見られた。この際の変位及び荷重を「スワブ挿入時の荷重（Ｎ）」及び「スワブ挿入時の変位（ｍｍ）」と称す。
【００７４】
また、１．５重量％ゼリーナ水溶液の代わりに３重量％ゼリーナ水溶液を用いた場合、さらに、スワブ１の代わりにコパン社製のフロックスワブ及びニプロ社製のスポンジスワブを使用した場合の荷重及び変位を測定した。以上の測定結果を表３に記載する。
【表３】
2020060397.tif 000005
【００７５】
フロックスワブやスポンジスワブと比較すると、スワブ１は「スワブ挿入時の荷重（Ｎ）」が低く、「スワブ挿入時の変位（ｍｍ）」が小さいことが明らかとなった。ここから、本発明のスワブは、粘性の高い検体を容易に採取することが可能であることが理解できる。したがって、本発明のスワブを用いることにより、被検者に痛みを感じさせることなく鼻腔内や口腔内の検体を採取することが可能である。
【符号の説明】
【００７６】
１・・・・・柄部
２・・・・・ロッド
３・・・・・最先端部
４・・・・・検体採取部
１１・・・・最先端部
１２・・・・抜け止め突端を有する返し片部
１３・・・・抜け止め突端
１４・・・・フランジ部
１５・・・・繊維体
１６・・・・繊維体の袋口部
２１・・・・ロードセル
２２・・・・スワブを固定するためのシリコン（スワブ固定用シリコン）
２３・・・・スワブ１
２４・・・・繊維体
２５・・・・１．５重量％ゼリーナ水溶液が入ったビーカー
【図１】
2020060397.tif 000006
【図２】
2020060397.tif 000007
【図３】
2020060397.tif 000008